(57)【要約】【課題】異常状態において、監視端末によって機器を監視できる監視システムの実現。【解決手段】主回線Ｃ３を介した通信を正常に行える正常状態では、第一設備１は、情報取得装置１１が取得した機器情報を、メインサーバ６とサブサーバ１３との双方に送信し、監視端末１２は、メインサーバ６から機器情報を取得し、主回線Ｃ３を介した通信を正常に行えない異常状態では、第一設備１は、情報取得装置１１が取得した機器情報を、サブサーバ１３に機器情報を送信し、監視端末１２は、サブサーバ１３から機器情報を取得する。【選択図】図１
2019091970.tif 000002
【特許請求の範囲】
【請求項１】
建物に設置されている機器を監視する第一設備が、複数の前記建物の夫々に設置され、
前記第一設備と主回線により接続された第二設備が、複数の前記建物から離れた地点に設置され、
前記第一設備は、前記機器の情報である機器情報を取得する情報取得装置と、監視端末と、サブサーバと、を備えると共に、前記情報取得装置と前記監視端末と前記サブサーバとが前記第一設備の中に設けられた設備内回線により接続され、
前記第二設備は、メインサーバを備え、
前記主回線を介した通信を正常に行える正常状態では、前記第一設備は、前記情報取得装置が取得した前記機器情報を、前記メインサーバと前記サブサーバとの双方に送信し、前記監視端末は、前記メインサーバから前記機器情報を取得し、
前記主回線を介した通信を正常に行えない異常状態では、前記第一設備は、前記情報取得装置が取得した前記機器情報を、前記サブサーバに送信し、前記監視端末は、前記サブサーバから前記機器情報を取得する監視システム。
【請求項２】
前記第一設備と前記第二設備とが、前記主回線に加えて副回線により接続され、
前記異常状態では、前記第一設備は、前記第一設備から前記第二設備までの前記主回線による通信経路の通信状況を確認する第一確認処理を実行すると共に、前記副回線を介して前記第二設備に対して確認指令を送信し、
前記確認指令を受信した前記第二設備は、前記第二設備から前記第一設備までの前記主回線による通信経路の通信状況を確認する第二確認処理を実行する請求項１に記載の監視システム。
【請求項３】
外部端末と前記第一設備とが、第一外部回線により接続され、
前記外部端末と前記第二設備とが、第二外部回線により接続され、
前記正常状態では、前記外部端末は、前記第二外部回線を介して前記メインサーバから前記機器情報を取得し、
前記異常状態では、前記外部端末は、前記第一外部回線を介して前記サブサーバから前記機器情報を取得する請求項１又は２に記載の監視システム。
【請求項４】
前記情報取得装置が予め設定された特定の前記機器情報である特定情報を取得した場合に、前記第一設備は、前記特定情報を取得したことを示す報知情報を、前記外部端末に送信する請求項３に記載の監視システム。
【請求項５】
前記第一設備は、前記異常状態中に前記サブサーバに送信した前記機器情報をログ情報として蓄積し、前記異常状態から前記正常状態に切り換わった場合に、前記ログ情報を前記メインサーバに送信する請求項１から４のいずれか一項に記載の監視システム。
【請求項６】
前記機器情報は、前記機器の稼働状態を示す稼働情報と前記機器の設定状態を示す設定情報とを含み、
前記異常状態では、前記監視端末は、前記サブサーバから前記機器情報として前記稼働情報と前記設定情報とのうち前記稼働情報のみを取得する請求項１から５のいずれか一項に記載の監視システム。
【発明の詳細な説明】
【技術分野】
【０００１】
本発明は、建物に設置されている機器を監視する監視システムに関する。
【背景技術】
【０００２】
特開２０１２−２０３４７３号公報（特許文献１）に、複数の建物の夫々に第一設備が設置され、第一設備と主回線（インターネット３０）により接続された第二設備が、複数の建物から離れた地点に設置されている。この特許文献１のシステムでは、第二設備のメインサーバ（第１のコンピュータ１０ａ，第２のコンピュータ１０ｂ）に情報を蓄積し、第一設備の第３のコンピュータ２０−１から２０−ｎが、主回線を介してメインサーバから情報を取得できるようになっている。
【０００３】
このようなシステムを利用して、建物に設けた機器を監視装置によって監視可能な監視システムを構成することが考えられる。この場合、建物に設けられている機器の情報である機器情報を、主回線を介してメインサーバに送信して、メインサーバに機器情報を蓄積する。そして、建物に設置された第一設備の監視端末が、主回線を介してメインサーバから機器情報を取得する。
【先行技術文献】
【特許文献】
【０００４】
【特許文献１】特開２０１２−２０３４７３号公報
【発明の概要】
【発明が解決しようとする課題】
【０００５】
しかし、このような監視システムでは、主回線を介した通信を正常に行えない異常状態では、主回線を介して機器情報をメインサーバに送信することができず、また、監視端末が主回線を介して機器情報を取得できないため、建物に設置された機器を監視装置によって監視することができなくなる。
【０００６】
そこで、異常状態においても、監視端末によって建物に設置された機器を監視することができる監視システムの実現が望まれる。
【課題を解決するための手段】
【０００７】
上記に鑑みた、監視システムの特徴構成は、前記建物に設置されている機器を監視する第一設備が、複数の建物の夫々に設置され、前記第一設備と主回線により接続された第二設備が、複数の前記建物から離れた地点に設置され、前記第一設備は、前記機器の情報である機器情報を取得する情報取得装置と、監視端末と、サブサーバと、を備えると共に、前記情報取得装置と前記監視端末と前記サブサーバとが前記第一設備の中に設けられた設備内回線により接続され、前記第二設備は、メインサーバを備え、前記主回線を介した通信を正常に行える正常状態では、前記第一設備は、前記情報取得装置が取得した前記機器情報を、前記メインサーバと前記サブサーバとの双方に送信し、前記監視端末は、前記メインサーバから前記機器情報を取得し、前記主回線を介した通信を正常に行えない異常状態では、前記第一設備は、前記情報取得装置が取得した前記機器情報を、前記サブサーバに送信し、前記監視端末は、前記サブサーバから前記機器情報を取得する点にある。
【０００８】
この構成によれば、正常状態では、情報取得装置が取得した機器情報が、情報取得装置からメインサーバとサブサーバとに送信されるため、機器情報はメインサーバとサブサーバとの双方に蓄積される。そして、例えば、主回線をＶＰＮ（Virtual Private Network）等を用いて構築することで、第一設備は、機密性が高い状態でメインサーバに機器情報を蓄積でき、監視端末は、機密性が高い状態で機器情報を取得できる。
また、異常状態では、情報取得装置からサブサーバに機器情報が送信されるため、サブサーバには、正常状態における機器情報に加えて異常状態における機器情報が蓄積される。従って、異常状態において監視端末がサブサーバから機器情報を取得することで、正常状態における機器情報に加えて異常状態における機器情報も取得できる。このため、異常状態においても、監視端末によって建物に設置された機器を監視することができる。
【図面の簡単な説明】
【０００９】
【図１】主回線及び第一外部回線を示す監視システムのブロック図
【図２】副回線及び第二外部回線を示す監視システムのブロック図
【図３】正常状態における情報の送信状態を示す監視システムのブロック図
【図４】異常状態における情報の送信状態を示す監視システムのブロック図
【図５】確認処理による情報の送信状態を示す監視システムのブロック図
【図６】正常状態においてモニタに報知情報を表示した状態を示す図
【図７】異常状態においてモニタに報知情報を表示した状態を示す図
【図８】サブサーバの通信監視フローチャート
【図９】メインサーバの通信監視フローチャート
【発明を実施するための形態】
【００１０】
１．実施形態
監視システムの実施形態について図面に基づいて説明する。図１及び図２に示すように、監視システムＳは、第一設備１と第二設備２と外部端末７とを備えている。第一設備１は、第一建物Ｂ１に設置されている機器５を監視する設備であり、複数の第一建物Ｂ１の夫々に設置されている。図１及び図２では、複数の第一建物Ｂ１として、三棟の第一建物Ｂ１を示している。尚、第一建物Ｂ１が、第一設備１が設置されている建物に相当する。第二設備２は、機器５の情報である機器情報を蓄積するメインサーバ６を備えている。第二設備２は、複数の第一建物Ｂ１から離れた地点である第二建物Ｂ２に設置されており、第二建物Ｂ２は、複数の第一建物Ｂ１とは別の建物である。
【００１１】
また、監視システムＳは、外部から機器５を監視するため外部端末７を備えている。本実施形態では、監視システムＳは、外部端末７として、固定外部端末７Ａと、移動外部端末７Ｂとを備えている。そして、固定外部端末７Ａは、第二建物Ｂ２及び複数の第一建物Ｂ１から離れた第三建物Ｂ３に設置された第三設備３に備えられている。固定外部端末７Ａとしては、例えば、デスクトップ型のコンピュータ等が用いられる。また、移動外部端末７Ｂは、例えば携帯電話通信網などの無線通信網４に接続される、持ち運び可能な通信端末である。このような通信端末としては、例えば、スマートフォン、タブレット端末、ラップトップ型のコンピュータ等が用いられる。以下、固定外部端末７Ａと移動外部端末７Ｂとを区別する必要がない場合には、単に「外部端末７」と称する。
【００１２】
第一設備１と第二設備２と第三設備３と無線通信網４とは、互いにインターネット回線Ｃ１により接続されている。第一設備１は、インターネット回線Ｃ１を介して機器５の情報である機器情報を第二設備２のメインサーバ６に送信し、機器情報をメインサーバ６に蓄積する。メインサーバ６には、インターネット回線Ｃ１を介して複数の第一設備１から機器情報が送信されており、複数の第一建物Ｂ１に設置されている機器５の機器情報が蓄積される。第一設備１に設けられた監視端末１２は、インターネット回線Ｃ１を介してメインサーバ６から機器情報を取得することで、自らが設置された第一建物Ｂ１の機器５を監視できるようになっている。また、本実施形態では、外部端末７は、インターネット回線Ｃ１を介してメインサーバ６から機器情報を取得することで、複数の第一建物Ｂ１に設置されている機器５を監視できるようになっている。このように、監視システムＳは、複数の第一建物Ｂ１に設置されている機器５を監視することができる構成となっている。
【００１３】
第一設備１は、機器５の情報である機器情報を取得する情報取得装置１１と、監視端末１２と、サブサーバ１３と、ハブ１４と、を備えている。情報取得装置１１と監視端末１２とサブサーバ１３とハブ１４とは、第一設備１の中に設けられた設備内回線Ｃ２（ＬＡＮ（Local Area Network））により接続されている。情報取得装置１１は、インテリジェントコントローラ（Icont）により構成されている。また、サブサーバ１３は、統合インテリジェントコントローラ（統合Icont）により構成されている。尚、図１から図５では、インターネット回線Ｃ１を設備内回線Ｃ２より太い線で示している。
【００１４】
第一建物Ｂ１に設置されている機器５としては、例えば、エレベータ、空調機器、換気機器、火災報知器、地震検知器、電力量計等である。１つ又は複数の機器５に対して情報取得装置１１が備えられており、情報取得装置１１は、各機器５から機器情報を取得する。具体的には、機器５がエレベータであれば、情報取得装置１１は、エレベータの運行アルゴリズム等の設定状態を示すエレベータ設定情報や、エレベータが備える各種センサにより検出された情報であるエレベータセンサ情報や、エレベータの消費電力の情報であるエレベータ消費電力情報や、エレベータの非常スイッチが押された場合に出力されるエレベータ非常報知情報等を、機器情報として取得する。機器５が空調機器であれば、情報取得装置１１は、空調機器の設定状態を示す空調設定情報や、空調機器により検出された空調機器周囲の温度の情報である温度情報や、空調機器の消費電力の情報である消費電力情報や、空調機器の故障が検知された場合に出力される空調故障情報等を、機器情報として取得する。機器５が火災検知器であれば、情報取得装置１１は、火災を検知した場合の火災検知情報を機器情報として取得する。機器５が地震検知器であれば、情報取得装置１１は、地震を検知した場合の地震検知情報を機器情報として取得する。尚、機器情報には、機器５の稼働状態を示す稼働情報と、機器５の設定状態を示す設定情報とが含まれる。設定情報には、上記エレベータ設定情報や空調設定情報等が含まれる。また、稼働情報には、それらの設定情報以外の情報が含まれる。更に、本実施形態では、特定の機器情報を特定情報として予め設定している。この特定情報は、この監視システムＳにおいて監視すべき重要な情報であって、特に、緊急性を有する対応が必要な情報を設定すると好適である。ここでは、例えば、エレベータ非常報知情報、火災検知情報、及び地震検知情報等が、特定情報に設定されている。
【００１５】
第一設備１は、第一ルータＲ１を介してインターネット回線Ｃ１に接続されていると共に、第二ルータＲ２を介してもインターネット回線Ｃ１に接続されている。尚、第一ルータＲ１は、設備内回線Ｃ２によってハブ１４に接続されており、第二ルータＲ２は、設備内回線Ｃ２によってサブサーバ１３に接続されている。
第二設備２は、第三ルータＲ３を介してインターネット回線Ｃ１に接続されていると共に、第四ルータＲ４を介してもインターネット回線Ｃ１に接続されている。第三ルータＲ３及び第四ルータＲ４は、第二設備２内の回線によってメインサーバ６に接続されている。
【００１６】
第三設備３に備えられた固定外部端末７Ａは、第五ルータＲ５を介してインターネット回線Ｃ１に接続されていると共に、第六ルータＲ６を介してもインターネット回線Ｃ１に接続されている。第五ルータＲ５及び第六ルータＲ６は、第三設備３内の回線によって固定外部端末７Ａに接続されている。
移動外部端末７Ｂは、無線通信網４の無線通信アンテナを介してインターネット回線Ｃ１に接続されている。無線通信網４は、無線通信事業者等が備える事業者サーバを介してインターネット回線Ｃ１に接続されている。
【００１７】
図１に一点鎖線で示すように、第一ルータＲ１と第三ルータＲ３と第六ルータＲ６とは、インターネット回線Ｃ１を介して互いに通信を行うことができ、図２に二点鎖線で示すように、第二ルータＲ２と第四ルータＲ４と第五ルータＲ５とは、インターネット回線Ｃ１を介して互いに通信を行うことができる。特に、図１に示すように、第一ルータＲ１と第三ルータＲ３と第六ルータＲ６とは、インターネット回線Ｃ１を介してＶＰＮ（Virtual Private Network）を構成し、これにより第一設備１と第二設備２と第三設備３との間では安全性が高い状態で通信を行うことができるようになっている。
【００１８】
また、図１に示すように、移動外部端末７Ｂも、第一ルータＲ１と第三ルータＲ３と第六ルータＲ６とインターネット回線Ｃ１を介して互いに通信を行うことができると共に、これらとＶＰＮを構成して安全性が高い状態で通信を行うことができるようになっている。このように、移動外部端末７Ｂの通信回線の構成は、固定外部端末７Ａの通信回線と比べて、具体的構成は異なるが、実質的な構成は同じとみなすことができる。そこで、以下では、固定外部端末７Ａの通信回線の構成を代表例として用いて、外部端末７に関する説明を行う。また、以下の説明において、第三設備３とは、固定外部端末７Ａと移動外部端末７Ｂとの少なくとも一方である外部端末７を含む設備を指す。
【００１９】
第一設備１と第二設備２とは、第一ルータＲ１、インターネット回線Ｃ１、及び第三ルータＲ３を介して接続される主回線Ｃ３（図１参照）と、第二ルータＲ２、インターネット回線Ｃ１、及び第四ルータＲ４を介して接続される副回線Ｃ４（図２参照）と、により接続されている。そして、主回線Ｃ３は、ＶＰＮに構成されており、ＶＰＮを構成していない副回線Ｃ４に比べて安全性が高い通信を行うことができる。このように、第一設備１と第二設備２とは、主回線Ｃ３に加えて副回線Ｃ４により接続されている。
尚、図１に示すように、第一ルータＲ１及び第三ルータＲ３を含む第一ルータＲ１から第三ルータＲ３までの回線を主回線Ｃ３とし、図２に示すように、第二ルータＲ２及び第四ルータＲ４を含む第二ルータＲ２から第四ルータＲ４までの回線を副回線Ｃ４としている。
【００２０】
第一設備１と第三設備３とは、第二ルータＲ２、インターネット回線Ｃ１、及び第五ルータＲ５を介して接続される第一外部回線Ｃ５（図２参照）により接続されている。また、第二設備２と第三設備３とは、第三ルータＲ３、インターネット回線Ｃ１及び第六ルータＲ６を介して接続される第二外部回線Ｃ６（図１参照）により接続されている。このように、第三設備３と第一設備１とが、第一外部回線Ｃ５により接続され、第三設備３と第二設備２とが、第二外部回線Ｃ６により接続されている。
尚、図２に示すように、第二ルータＲ２及び第五ルータＲ５を含む第二ルータＲ２から第五ルータＲ５までの回線を第一外部回線Ｃ５とし、図１に示すように、第三ルータＲ３及び第六ルータＲ６を含む第三ルータＲ３から第六ルータＲ６までの回線を第二外部回線Ｃ６としている。
【００２１】
このように、第一設備１と第二設備２と第三設備３とは、ＶＰＮ回線とオープンなインターネット回線との２種類の回線で接続されている。そして、図１に示すように、第一ルータＲ１と第三ルータＲ３と第六ルータＲ６とは、ＶＰＮ回線で閉域網を構築している。また、図２に示すように、第二ルータＲ２と第四ルータＲ４と第五ルータＲ５は、オープンなインターネット回線に接続されている。第四ルータＲ４とメインサーバ６とは、ファイアウォール等のセキュリティ機器（図示せず）を介して接続されている。
【００２２】
次に、正常状態及び異常状態における監視システムＳについて説明する。正常状態は、主回線Ｃ３を介した通信を正常に行える状態である。異常状態は、主回線Ｃ３を介した通信を正常に行えない状態である。
【００２３】
監視端末１２及びサブサーバ１３は、主回線Ｃ３を介してメインサーバ６に向けて定期的に電文を送信し、当該電文に対してメインサーバ６からの応答があれば正常状態と判断し、当該電文に対してメインサーバ６からの応答がなければ異常状態と判断する。
また、メインサーバ６は、主回線Ｃ３を介してサブサーバ１３に向けて定期的に電文を送信し、当該電文に対してサブサーバ１３からの応答があれば正常状態と判断し、当該電文に対してサブサーバ１３からの応答がなければ異常状態と判断する。
【００２４】
〔正常状態〕
まず、図１から図３に基づいて、正常状態（サブサーバ１３等が正常状態と判断している状態）における第一設備１、第二設備２及び第三設備３の動作について説明する。
第一設備１では、情報取得装置１１が取得した機器情報を設備内回線Ｃ２を介してサブサーバ１３に送信する。サブサーバ１３は、情報取得装置１１から取得した機器情報を蓄積する。また、サブサーバ１３は、情報取得装置１１から取得した機器情報を設備内回線Ｃ２と主回線Ｃ３とを介してメインサーバ６に送信する。このように、第一設備１は、情報取得装置１１が取得した機器情報を、メインサーバ６とサブサーバ１３との双方に機器情報を送信する。
【００２５】
メインサーバ６は、複数の第一設備１から取得した機器情報を複数の第一設備１のうちの何れの第一設備１から取得したかを判別可能な状態で蓄積している。メインサーバ６は、監視端末１２から機器情報の要求があった場合、当該監視端末１２が設置されている第一設備１に対応する機器情報を主回線Ｃ３と設備内回線Ｃ２とを介して監視端末１２に送信する。また、メインサーバ６は、外部端末７から機器情報の要求があった場合、要求された機器情報を、第二外部回線Ｃ６を介して外部端末７に送信する。このようにメインサーバ６から監視端末１２や外部端末７に機器情報を送信する場合、送信される機器情報には稼働情報と設定情報との双方が含まれる。そのため、正常状態では、監視端末１２は、メインサーバ６から機器情報として稼働情報と設定情報との双方を取得する。
【００２６】
また、メインサーバ６は、上述したような、予め設定された特定の機器情報である特定情報を取得した場合、特定情報を取得したことを示す報知情報を、主回線Ｃ３と設備内回線Ｃ２とを介して監視端末１２に送信すると共に、第二外部回線Ｃ６を介して外部端末７に送信する。このように、正常状態において情報取得装置１１が特定情報を取得した場合に、第二設備２は、報知情報を監視端末１２及び外部端末７に送信する。
【００２７】
監視端末１２は、設備内回線Ｃ２と主回線Ｃ３とを介して機器情報の要求をメインサーバ６に送信し、主回線Ｃ３と設備内回線Ｃ２とを介してメインサーバ６から機器情報を取得する。このように、監視端末１２により機器情報を取得することで、監視端末１２によって当該監視端末１２が設置されている第一設備１の機器５の監視が可能となっている。また、監視端末１２は、報知情報を取得した場合は表示装置に報知情報を表示させる。この表示装置は、監視端末１２のモニタであっても良いし、監視端末１２とは別に第一設備１に設けられた警告灯等であっても良い。監視端末１２のモニタに報知情報が表示される場合、例えば、図６に示すように、モニタの表示画面１２Ａの第一表示領域Ｅ１に報知情報がポップアップ表示される。尚、図６では、表示画面１２Ａの第二表示領域Ｅ２に機器情報（電気系統図の情報）が表示された状態で、監視端末１２が報知情報として火災検知情報を取得した場合を例示している。
【００２８】
外部端末７は、第二外部回線Ｃ６を介して機器情報の要求をメインサーバ６に送信し、第二外部回線Ｃ６を介してメインサーバ６から機器情報を取得する。このように、外部端末７により機器情報を取得することで、外部端末７によって任意の第一設備１の機器５の監視が可能となっている。また、外部端末７は、報知情報を取得した場合は表示装置に報知情報を表示させる。この表示装置は、外部端末７のモニタであっても良いし、外部端末７とは別に第三設備３に設けられた警告灯等であっても良い。外部端末７のモニタに報知情報が表示される場合、例えば、上記図６と同様の表示が行われる。
【００２９】
〔異常状態〕
次に、図１、図２及び図４に基づいて、異常状態（サブサーバ１３等が異常状態と判断している状態）における第一設備１、第二設備２及び第三設備３について説明する。
第一設備１は、主回線Ｃ３を介した通信を正常に行えない異常状態では、情報取得装置１１が取得した機器情報を設備内回線Ｃ２を介してサブサーバ１３に送信する。サブサーバ１３は、情報取得装置１１から取得した機器情報を蓄積する。また、サブサーバ１３は、異常状態中に情報取得装置１１から取得した機器情報をログ情報として蓄積する。このように、本実施形態では、第一設備１は、情報取得装置１１が取得した機器情報を、メインサーバ６とサブサーバ１３とのうちのサブサーバ１３のみに機器情報を送信する。なお、第一設備１が、情報取得装置１１が取得した機器情報を、メインサーバ６とサブサーバ１３との双方に送信するが、主回線Ｃ３の異常のためメインサーバ６へは機器情報が到達せず、結果的にサブサーバ１３のみに機器情報が送信される構成としても良い。
【００３０】
サブサーバ１３は、監視端末１２から機器情報の要求があった場合、機器情報を設備内回線Ｃ２を介して監視端末１２に送信する。また、サブサーバ１３は、外部端末７から機器情報の要求があった場合、要求された機器情報を第一外部回線Ｃ５を介して外部端末７に送信する。このようにサブサーバ１３から監視端末１２や外部端末７に機器情報を送信する場合、送信される機器情報には稼働情報は含まれるものの設定情報は含まれない。そのため、異常状態では、監視端末１２及び外部端末７は、サブサーバ１３から機器情報として稼働情報と設定情報とのうち稼働情報のみを取得する。
【００３１】
サブサーバ１３は、情報取得装置１１から特定情報を取得した場合、設備内回線Ｃ２を介して監視端末１２に報知情報を送信すると共に、設備内回線Ｃ２と第一外部回線Ｃ５とを介して外部端末７に送信する。このように、異常状態において情報取得装置１１が特定情報を取得した場合に、第一設備１は、報知情報を監視端末１２及び外部端末７に送信する。
【００３２】
監視端末１２は、設備内回線Ｃ２を介して機器情報の要求をサブサーバ１３に送信し、設備内回線Ｃ２を介してサブサーバ１３から機器情報を取得する。このように、監視端末１２により機器情報を取得することで、異常状態においても監視端末１２によって当該監視端末１２が設置されている第一設備１の機器５を監視が可能となっている。また、監視端末１２は、報知情報を取得した場合は、上述したように表示装置に報知情報を表示させる。上記のとおり、この表示装置は、監視端末１２のモニタであっても良いし、監視端末１２とは別に第一設備１に設けられた警告灯等であっても良い。監視端末１２のモニタに報知情報が表示される場合、例えば、図７に示すように、モニタの表示画面１２Ａの第一表示領域Ｅ１に報知情報がポップアップ表示される。尚、図７では、表示画面１２Ａの第二表示領域Ｅ２に機器情報（電気系統図の情報）が表示された状態で、監視端末１２が報知情報としてエレベータ異常発生情報を取得した場合を例示している。
【００３３】
外部端末７は、第一外部回線Ｃ５を介して機器情報の要求をサブサーバ１３に送信し、第一外部回線Ｃ５を介してサブサーバ１３から機器情報を取得する。このように、外部端末７により機器情報を取得することで、異常状態においても外部端末７によって任意の第一設備１の機器５を監視が可能となっている。また、外部端末７は、報知情報を取得した場合は、上述したように表示装置に報知情報を表示させる。上記のとおり、この表示装置は、外部端末７のモニタであっても良いし、外部端末７とは別に第三設備３に設けられた警告灯等であっても良い。外部端末７のモニタに報知情報が表示される場合、例えば、上記図７と同様の表示が行われる。
【００３４】
但し、上記のとおり、異常状態では、監視端末１２及び外部端末７は、サブサーバ１３から機器情報として稼働情報と設定情報とのうち稼働情報のみを取得する。そのため、異常状態では、監視端末１２又は外部端末７では、機器５に対する設定変更が行えないようになっている。具体的には、正常状態では、例えば図６に示すように、表示画面１２Ａには、正常状態において機器５に対する設定変更を行うときに選択する第四表示領域Ｅ４が表示されている。しかし、異常状態では、例えば図７に示すように、第四表示領域Ｅ４は正常状態とは異なる表示状態（例えば、グレーアウト状態）となっており、監視端末１２又は外部端末７では、第四表示領域Ｅ４の選択操作が行えず、機器５に対する設定変更が行えないようになっている。
【００３５】
〔異常検知〕
第一設備１のサブサーバ１３は、正常状態から異常状態に切り換わったと判断した場合に、第一設備１から第二設備２までの主回線Ｃ３による通信経路の通信状況を確認する第一確認処理を実行すると共に、副回線Ｃ４を介して第二設備２に対して確認指令１６を送信する。第一確認処理では、図５に矢印で示すように、主回線Ｃ３による通信経路における第一設備１側、より詳しくはサブサーバ１３側の通信機器から順に電文を送信し、当該電文に対して通信機器からの応答があれば当該通信機器は正常な通信機器と判断し、当該電文に対して通信機器からの応答がなければ当該通信機器は異常な通信機器と判断する。具体的には、例えば、第一確認処理では、第一ルータＲ１に対して電文を送信し、当該電文に対して第一ルータＲ１からの応答があれば第一ルータＲ１は正常と判断し、第一ルータＲ１からの応答がなければ第一ルータＲ１は異常と判断する。第一ルータＲ１が正常と判断した場合には、第一ルータＲ１よりも更に第二設備２側の通信機器に対して、同様に電文を送信し、正常か異常かを判断する。そして、サブサーバ１３は、異常な通信機器が存在すると判断すると、異常な通信機器を示す異常情報を、設備内回線Ｃ２を介して監視端末１２に送信すると共に設備内回線Ｃ２及び第一外部回線Ｃ５を介して外部端末７に送信する。
【００３６】
第二設備２のメインサーバ６は、第一設備１から確認指令１６を受信した場合や正常状態から異常状態に切り換わったと判断した場合に、第二設備２から第一設備１までの主回線Ｃ３による通信経路の通信状況を確認する第二確認処理を実行する。第二確認処理では、図５に矢印で示すように、主回線Ｃ３による通信経路における第二設備２側、より詳しくはメインサーバ６側の通信機器から順に電文を送信し、当該電文に対して通信機器からの応答があれば正常な通信機器と判断し、当該電文に対して通信機器からの応答がなければ異常な通信機器と判断する。具体的には、例えば、第二確認処理では、第三ルータＲ３に対して電文を送信し、当該電文に対して第三ルータＲ３からの応答があれば第三ルータＲ３は正常と判断し、第三ルータＲ３からの応答がなければ第三ルータＲ３は異常と判断する。第三ルータＲ３が正常と判断した場合には、第三ルータＲ３よりも更に第一設備１側の通信機器に対して、同様に電文を送信し、正常か異常かを判断する。そして、メインサーバ６は、異常な通信機器が存在すると判断すると、異常な通信機器を示す異常情報を、副回線Ｃ４及び設備内回線Ｃ２を介して監視端末１２に送信するとともに、第一外部回線Ｃ５を介して外部端末７に送信する。
【００３７】
監視端末１２は、異常情報を取得した場合は監視端末１２又は第一設備１に設けられた表示装置に異常情報を表示し、外部端末７は、異常情報を取得した場合は外部端末７又は第三設備３に設けられた表示装置に異常情報を表示する。監視端末１２又は外部端末７のモニタに異常情報が表示される場合、例えば、上記図７と同様の表示が行われる。
【００３８】
サブサーバ１３は、異常状態から正常状態に切り換わったと判断すると、設備内回線Ｃ２と主回線Ｃ３とを介してログ情報をメインサーバ６に送信する。このように、第一設備１は、異常状態中に情報取得装置１１から取得したログ情報として蓄積していた機器情報を、異常状態から正常状態に切り換わった場合にメインサーバ６に送信する。これにより、メインサーバ６には、正常状態中に情報取得装置１１が取得した機器情報に加えて異常状態中に情報取得装置１１が取得した機器情報が蓄積される。
【００３９】
正常状態と異常状態との双方において、情報取得装置１１が予め設定された特定の機器情報である特定情報を取得した場合には、サブサーバ１３は、特定情報を取得したことを示す報知情報を、第一外部回線Ｃ５を介して外部端末７に送信する。外部端末７は、特定情報を取得した場合は外部端末７又は第三設備３に設けられた表示装置に報知情報を表示させる。外部端末７のモニタに報知情報が表示される場合、例えば、上記図６と同様の表示が行われる。
【００４０】
〔異常判定のフローチャート〕
図８のフローチャートに示すように、異常状態の有無の判定のために、サブサーバ１３は、定期的にメインサーバ６に向けて電文を送信する（Ｓ１１）。当該電文に対してメインサーバ６からの応答がなければ異常状態と判断する（Ｓ１２：Ｎｏ）。そして、第一異常処理を実行する（Ｓ１３）。また、サブサーバ１３は、メインサーバ６からの応答があった場合であって（Ｓ１２：Ｙｅｓ）、前回異常状態と判断して（Ｓ１２：Ｎｏ）第一異常処理（Ｓ１３）を行っている状態であった場合（Ｓ１４：Ｙｅｓ）には、異常状態から正常状態に切り換わったと判断して第一復旧処理を実行する（Ｓ１５）。ここで、第一異常処理（Ｓ１３）は、上述の第一確認処理や、情報取得装置１１から取得した機器情報をログ情報として蓄積する処理や、第二設備２に対して確認指令１６を送信する処理を含んでいる。また、第一復旧処理（Ｓ１５）は、サブサーバ１３がメインサーバ６にログ情報を送信する処理を含んでいる。
【００４１】
一方、図９のフローチャートに示すように、異常状態の有無の判定のために、メインサーバ６は、定期的にサブサーバ１３に向けて電文を送信する（Ｓ２１）。当該電文に対してサブサーバ１３からの応答がなければ異常状態と判断する（Ｓ２２：Ｎｏ）。そして第二異常処理を実行する（Ｓ２３）。また、メインサーバ６は、サブサーバ１３からの応答があった場合であって（Ｓ２２：Ｙｅｓ）、前回異常状態と判断して（Ｓ２２：Ｎｏ）第二異常処理（Ｓ２３）を行っている状態であった場合（Ｓ２４：Ｙｅｓ）には、異常状態から正常状態に切り換わったと判断して第二復旧処理を実行する（Ｓ２５）。ここで、第二異常処理（Ｓ２３）は、上述の第二確認処理を含んでいる。また、第二復旧処理（Ｓ２５）は、メインサーバ６がサブサーバ１３からのログ情報を取得する処理を含んでいる。
【００４２】
２．その他の実施形態
次に、監視システムのその他の実施形態について説明する。
【００４３】
（１）上記実施形態では、第一設備１と第二設備２とを、主回線Ｃ３に加えて副回線Ｃ４により接続したが、第一設備１と第二設備２とを、主回線Ｃ３と副回線Ｃ４とのうちの主回線Ｃ３のみで接続してもよい。
【００４４】
（２）上記実施形態では、正常状態において、情報取得装置１１が機器情報をサブサーバ１３に送信し、サブサーバ１３が機器情報をメインサーバ６に送信する構成、すなわち、サブサーバ１３を介して機器情報をメインサーバ６に送信する構成を例として説明した。しかし、これに限定されず、例えば、情報取得装置１１が機器情報をサブサーバ１３とメインサーバ６との双方に送信する構成、すなわち、サブサーバ１３を介することなく機器情報をメインサーバ６に送信する構成としてもよい。
【００４５】
（３）上記実施形態では、異常状態において、監視端末１２は、サブサーバ１３から機器情報として稼働情報と設定情報とのうちの稼働情報のみを取得したが、異常状態において、監視端末１２が、サブサーバ１３から取得する機器情報は適宜変更してもよい。つまり、例えば、監視端末１２が、サブサーバ１３から機器情報における稼働情報と設定情報との双方を取得してもよく、また、サブサーバ１３から機器情報における報知情報のみを取得してもよい。
【００４６】
（４）上記実施形態では、第一設備１は、異常状態中にサブサーバ１３に送信した機器情報をログ情報として蓄積し、異常状態から正常状態に切り換わった場合に、主回線Ｃ３を介してログ情報をメインサーバ６に送信したが、第一設備１は、異常状態中にサブサーバ１３に送信した機器情報を、異常状態中に副回線Ｃ４を介してメインサーバ６に送信してもよい。
【００４７】
（５）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【００４８】
３．上記実施形態の概要
以下、上記において説明した監視システムの概要について説明する。
【００４９】
監視システムは、建物に設置されている機器を監視する第一設備が、複数の前記建物の夫々に設置され、前記第一設備と主回線により接続された第二設備が、複数の前記建物から離れた地点に設置され、前記第一設備は、前記機器の情報である機器情報を取得する情報取得装置と、監視端末と、サブサーバと、を備えると共に、前記情報取得装置と前記監視端末と前記サブサーバとが前記第一設備の中に設けられた設備内回線により接続され、前記第二設備は、メインサーバを備え、前記主回線を介した通信を正常に行える正常状態では、前記第一設備は、前記情報取得装置が取得した前記機器情報を、前記メインサーバと前記サブサーバとの双方に送信し、前記監視端末は、前記メインサーバから前記機器情報を取得し、前記主回線を介した通信を正常に行えない異常状態では、前記第一設備は、前記情報取得装置が取得した前記機器情報を、前記サブサーバに送信し、前記監視端末は、前記サブサーバから前記機器情報を取得する。
【００５０】
この構成によれば、正常状態では、情報取得装置が取得した機器情報が、情報取得装置からメインサーバとサブサーバとに送信されるため、機器情報はメインサーバとサブサーバとの双方に蓄積される。そして、例えば、主回線をＶＰＮ（Virtual Private Network）等を用いて構築することで、第一設備は、機密性が高い状態でメインサーバに機器情報を蓄積でき、監視端末は、機密性が高い状態で機器情報を取得できる。
また、異常状態では、情報取得装置からサブサーバに機器情報が送信されるため、サブサーバには、正常状態における機器情報に加えて異常状態における機器情報が蓄積される。従って、異常状態において監視端末がサブサーバから機器情報を取得することで、正常状態における機器情報に加えて異常状態における機器情報も取得できる。このため、異常状態においても、監視端末によって建物に設置された機器を監視することができる。
【００５１】
ここで、前記第一設備と前記第二設備とが、前記主回線に加えて副回線により接続され、前記異常状態では、前記第一設備は、前記第一設備から前記第二設備までの前記主回線による通信経路の通信状況を確認する第一確認処理を実行すると共に、前記副回線を介して前記第二設備に対して確認指令を送信し、前記確認指令を受信した前記第二設備は、前記第二設備から前記第一設備までの前記主回線による通信経路の通信状況を確認する第二確認処理を実行すると好適である。
【００５２】
この構成によれば、第一設備が第一確認処理を実行し、第二設備が第二確認処理を実行することで、第一設備側からと第二設備側からとの双方から主回線による通信経路の通信状態を確認することができる。そして、第一設備側に加えて第二設備側からも通信状態を確認することで、例えば、第一設備では、通信経路の途中にある通信機器に異常が生じていることによって当該通信機器より第二設備側の通信状態が確認できない場合でも、当該通信機器より第二設備側の通信状態を第二設備によって確認できる。従って、第一設備と第二設備とによって通信経路における異常が生じている箇所を特定することが可能となる。
【００５３】
また、外部端末と前記第一設備とが、第一外部回線により接続され、前記外部端末と前記第二設備とが、第二外部回線により接続され、前記正常状態では、前記外部端末は、前記第二外部回線を介して前記メインサーバから前記機器情報を取得し、前記異常状態では、前記外部端末は、前記第一外部回線を介して前記サブサーバから前記機器情報を取得すると好適である。
【００５４】
この構成によれば、外部端末は、正常状態では、第二外部回線を介してメインサーバから機器情報を取得できる。また、正常状態及び異常状態の双方においてサブサーバに機器情報が保存されるため、異常状態では、外部端末は、サブサーバから機器情報を取得することができる。これにより、正常状態と異常状態との双方において、外部端末によって建物に設置された機器を監視することができる。
【００５５】
また、前記情報取得装置が予め設定された特定の前記機器情報である特定情報を取得した場合に、前記第一設備は、前記特定情報を取得したことを示す報知情報を、前記外部端末に送信すると好適である。
【００５６】
この構成によれば、第一設備は、情報取得装置が特定情報を取得した場合に報知情報を外部端末に送信する為、外部端末は、第一設備に報知情報を要求することなく、迅速に報知情報を取得できる。そのため、緊急性を有する対応が必要な場合にも迅速に対応することが可能となる。
【００５７】
また、前記第一設備は、前記異常状態中に前記サブサーバに送信した前記機器情報をログ情報として蓄積し、前記異常状態から前記正常状態に切り換わった場合に、前記ログ情報を前記メインサーバに送信すると好適である。
【００５８】
この構成によれば、メインサーバは、異常状態から正常状態への復旧後に、異常状態の間にサブサーバに蓄積された機器情報をログ情報として取得できる。そのため、メインサーバには、正常状態における機器情報に加えて異常状態における機器情報が蓄積されることになる。従って、異常状態から正常状態への復旧後に、監視装置は、異常状態における機器情報と正常状態における機器情報との双方をメインサーバから取得することができる。
【００５９】
また、前記機器情報は、前記機器の稼働状態を示す稼働情報と前記機器の設定状態を示す設定情報とを含み、前記異常状態では、前記監視端末は、前記サブサーバから前記機器情報として前記稼働情報と前記設定情報とのうち前記稼働情報のみを取得すると好適である。
【００６０】
この構成によれば、異常状態では、監視端末は、サブサーバから機器情報の一部である稼働情報のみを取得するため、異常状態における通信量を少なく抑えることができる。なお、異常状態において建物に設置された機器の設定を変更する必要性は低いため、監視端末が設定情報を取得しなくても問題は生じ難い。
【産業上の利用可能性】
【００６１】
本開示に係る技術は、建物に設置されている機器を監視する監視システムに利用することができる。
【符号の説明】
【００６２】
１：第一設備
２：第二設備
５：機器
６：メインサーバ
７：外部端末
１１：情報取得装置
１２：監視端末
１３：サブサーバ
Ｂ１：第一建物（建物）
Ｂ２：第二建物（地点）
Ｃ２：設備内回線
Ｃ３：主回線
Ｃ４：副回線
Ｃ５：第一外部回線
Ｃ６：第二外部回線
【図１】
2019091970.tif 000003
【図２】
2019091970.tif 000004
【図３】
2019091970.tif 000005
【図４】
2019091970.tif 000006
【図５】
2019091970.tif 000007
【図６】
2019091970.tif 000008
【図７】
2019091970.tif 000009
【図８】
2019091970.tif 000010
【図９】
2019091970.tif 000011
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
建物に設置されている機器を監視する第一設備が、複数の前記建物の夫々に設置され、
前記第一設備と主回線により接続された第二設備が、複数の前記建物から離れた地点に設置され、
前記第一設備は、前記機器の情報である機器情報を取得する情報取得装置と、監視端末と、サブサーバと、を備えると共に、前記情報取得装置と前記監視端末と前記サブサーバとが前記第一設備の中に設けられた設備内回線により接続され、
前記第二設備は、メインサーバを備え、
前記主回線を介した通信を正常に行える正常状態では、前記第一設備は、前記情報取得装置が取得した前記機器情報を、前記メインサーバと前記サブサーバとの双方に送信し、前記監視端末は、前記メインサーバから前記機器情報を取得し、
前記主回線を介した通信を正常に行えない異常状態では、前記第一設備は、前記情報取得装置が取得した前記機器情報を、前記サブサーバに送信し、前記監視端末は、前記サブサーバから前記機器情報を取得し、
前記第一設備と前記第二設備とが、前記主回線に加えて副回線により接続され、
前記異常状態では、前記第一設備は、前記第一設備から前記第二設備までの前記主回線による通信経路の通信状況を確認する第一確認処理を実行すると共に、前記副回線を介して前記第二設備に対して確認指令を送信し、
前記確認指令を受信した前記第二設備は、前記第二設備から前記第一設備までの前記主回線による通信経路の通信状況を確認する第二確認処理を実行し、
前記第一確認処理では、前記主回線による前記通信経路における前記第一設備側の通信機器から順に電文を送信して当該電文に対する応答があるか否かに応じて当該通信機器が異常か否かを判断し、
前記第二確認処理では、前記主回線による前記通信経路における前記第二設備側の通信機器から順に電文を送信して当該電文に対する応答があるか否かに応じて当該通信機器が異常か否かを判断する、監視システム。
【請求項２】
前記正常状態では、前記監視端末は、前記主回線と前記設備内回線とを介して前記機器情報を前記メインサーバから取得し、
前記異常状態では、前記監視端末は、前記主回線と前記設備内回線とのうちの前記設備内回線のみを介して前記サブサーバから前記機器情報を取得する、請求項１に記載の監視システム。
【請求項３】
外部端末と前記第一設備とが、第一外部回線により接続され、
前記外部端末と前記第二設備とが、第二外部回線により接続され、
前記正常状態では、前記外部端末は、前記第二外部回線を介して前記メインサーバから前記機器情報を取得し、
前記異常状態では、前記外部端末は、前記第一外部回線を介して前記サブサーバから前記機器情報を取得する請求項１又は２に記載の監視システム。
【請求項４】
前記情報取得装置が予め設定された特定の前記機器情報である特定情報を取得した場合に、前記第一設備は、前記特定情報を取得したことを示す報知情報を、前記外部端末に送信する請求項３に記載の監視システム。
【請求項５】
前記第一設備は、前記異常状態中に前記サブサーバに送信した前記機器情報をログ情報として蓄積し、前記異常状態から前記正常状態に切り換わった場合に、前記ログ情報を前記メインサーバに送信する請求項１から４のいずれか一項に記載の監視システム。
【請求項６】
前記機器情報は、前記機器の稼働状態を示す稼働情報と前記機器の設定状態を示す設定情報とを含み、
前記異常状態では、前記監視端末は、前記サブサーバから前記機器情報として前記稼働情報と前記設定情報とのうち前記稼働情報のみを取得する請求項１から５のいずれか一項に記載の監視システム。
【手続補正２】
【補正対象書類名】明細書
【補正対象項目名】０００７
【補正方法】変更
【補正の内容】
【０００７】
上記に鑑みた、監視システムの特徴構成は、前記建物に設置されている機器を監視する第一設備が、複数の建物の夫々に設置され、前記第一設備と主回線により接続された第二設備が、複数の前記建物から離れた地点に設置され、前記第一設備は、前記機器の情報である機器情報を取得する情報取得装置と、監視端末と、サブサーバと、を備えると共に、前記情報取得装置と前記監視端末と前記サブサーバとが前記第一設備の中に設けられた設備内回線により接続され、前記第二設備は、メインサーバを備え、前記主回線を介した通信を正常に行える正常状態では、前記第一設備は、前記情報取得装置が取得した前記機器情報を、前記メインサーバと前記サブサーバとの双方に送信し、前記監視端末は、前記メインサーバから前記機器情報を取得し、前記主回線を介した通信を正常に行えない異常状態では、前記第一設備は、前記情報取得装置が取得した前記機器情報を、前記サブサーバに送信し、前記監視端末は、前記サブサーバから前記機器情報を取得し、前記第一設備と前記第二設備とが、前記主回線に加えて副回線により接続され、前記異常状態では、前記第一設備は、前記第一設備から前記第二設備までの前記主回線による通信経路の通信状況を確認する第一確認処理を実行すると共に、前記副回線を介して前記第二設備に対して確認指令を送信し、前記確認指令を受信した前記第二設備は、前記第二設備から前記第一設備までの前記主回線による通信経路の通信状況を確認する第二確認処理を実行し、前記第一確認処理では、前記主回線による前記通信経路における前記第一設備側の通信機器から順に電文を送信して当該電文に対する応答があるか否かに応じて当該通信機器が異常か否かを判断し、前記第二確認処理では、前記主回線による前記通信経路における前記第二設備側の通信機器から順に電文を送信して当該電文に対する応答があるか否かに応じて当該通信機器が異常か否かを判断する点にある。
【手続補正３】
【補正対象書類名】明細書
【補正対象項目名】０００８
【補正方法】変更
【補正の内容】
【０００８】
この構成によれば、正常状態では、情報取得装置が取得した機器情報が、情報取得装置からメインサーバとサブサーバとに送信されるため、機器情報はメインサーバとサブサーバとの双方に蓄積される。そして、例えば、主回線をＶＰＮ（Virtual Private Network）等を用いて構築することで、第一設備は、機密性が高い状態でメインサーバに機器情報を蓄積でき、監視端末は、機密性が高い状態で機器情報を取得できる。
また、異常状態では、情報取得装置からサブサーバに機器情報が送信されるため、サブサーバには、正常状態における機器情報に加えて異常状態における機器情報が蓄積される。従って、異常状態において監視端末がサブサーバから機器情報を取得することで、正常状態における機器情報に加えて異常状態における機器情報も取得できる。このため、異常状態においても、監視端末によって建物に設置された機器を監視することができる。
また、この構成によれば、第一設備が第一確認処理を実行し、第二設備が第二確認処理を実行することで、第一設備側からと第二設備側からとの双方から主回線による通信経路の通信状態を確認することができる。そして、第一設備側に加えて第二設備側からも通信状態を確認することで、例えば、第一設備では、通信経路の途中にある通信機器に異常が生じていることによって当該通信機器より第二設備側の通信状態が確認できない場合でも、当該通信機器より第二設備側の通信状態を第二設備によって確認できる。従って、第一設備と第二設備とによって通信経路における異常が生じている箇所を特定することが可能となる。
【手続補正４】
【補正対象書類名】明細書
【補正対象項目名】００４３
【補正方法】削除
【補正の内容】
【手続補正５】
【補正対象書類名】明細書
【補正対象項目名】００４４
【補正方法】変更
【補正の内容】
【００４４】
（１）上記実施形態では、正常状態において、情報取得装置１１が機器情報をサブサーバ１３に送信し、サブサーバ１３が機器情報をメインサーバ６に送信する構成、すなわち、サブサーバ１３を介して機器情報をメインサーバ６に送信する構成を例として説明した。しかし、これに限定されず、例えば、情報取得装置１１が機器情報をサブサーバ１３とメインサーバ６との双方に送信する構成、すなわち、サブサーバ１３を介することなく機器情報をメインサーバ６に送信する構成としてもよい。
【手続補正６】
【補正対象書類名】明細書
【補正対象項目名】００４５
【補正方法】変更
【補正の内容】
【００４５】
（２）上記実施形態では、異常状態において、監視端末１２は、サブサーバ１３から機器情報として稼働情報と設定情報とのうちの稼働情報のみを取得したが、異常状態において、監視端末１２が、サブサーバ１３から取得する機器情報は適宜変更してもよい。つまり、例えば、監視端末１２が、サブサーバ１３から機器情報における稼働情報と設定情報との双方を取得してもよく、また、サブサーバ１３から機器情報における報知情報のみを取得してもよい。
【手続補正７】
【補正対象書類名】明細書
【補正対象項目名】００４６
【補正方法】変更
【補正の内容】
【００４６】
（３）上記実施形態では、第一設備１は、異常状態中にサブサーバ１３に送信した機器情報をログ情報として蓄積し、異常状態から正常状態に切り換わった場合に、主回線Ｃ３を介してログ情報をメインサーバ６に送信したが、第一設備１は、異常状態中にサブサーバ１３に送信した機器情報を、異常状態中に副回線Ｃ４を介してメインサーバ６に送信してもよい。
【手続補正８】
【補正対象書類名】明細書
【補正対象項目名】００４７
【補正方法】変更
【補正の内容】
【００４７】
（４）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【手続補正９】
【補正対象書類名】明細書
【補正対象項目名】００４９
【補正方法】変更
【補正の内容】
【００４９】
監視システムは、建物に設置されている機器を監視する第一設備が、複数の前記建物の夫々に設置され、前記第一設備と主回線により接続された第二設備が、複数の前記建物から離れた地点に設置され、前記第一設備は、前記機器の情報である機器情報を取得する情報取得装置と、監視端末と、サブサーバと、を備えると共に、前記情報取得装置と前記監視端末と前記サブサーバとが前記第一設備の中に設けられた設備内回線により接続され、前記第二設備は、メインサーバを備え、前記主回線を介した通信を正常に行える正常状態では、前記第一設備は、前記情報取得装置が取得した前記機器情報を、前記メインサーバと前記サブサーバとの双方に送信し、前記監視端末は、前記メインサーバから前記機器情報を取得し、前記主回線を介した通信を正常に行えない異常状態では、前記第一設備は、前記情報取得装置が取得した前記機器情報を、前記サブサーバに送信し、前記監視端末は、前記サブサーバから前記機器情報を取得し、前記第一設備と前記第二設備とが、前記主回線に加えて副回線により接続され、前記異常状態では、前記第一設備は、前記第一設備から前記第二設備までの前記主回線による通信経路の通信状況を確認する第一確認処理を実行すると共に、前記副回線を介して前記第二設備に対して確認指令を送信し、前記確認指令を受信した前記第二設備は、前記第二設備から前記第一設備までの前記主回線による通信経路の通信状況を確認する第二確認処理を実行し、前記第一確認処理では、前記主回線による前記通信経路における前記第一設備側の通信機器から順に電文を送信して当該電文に対する応答があるか否かに応じて当該通信機器が異常か否かを判断し、前記第二確認処理では、前記主回線による前記通信経路における前記第二設備側の通信機器から順に電文を送信して当該電文に対する応答があるか否かに応じて当該通信機器が異常か否かを判断する。
【手続補正１０】
【補正対象書類名】明細書
【補正対象項目名】００５０
【補正方法】変更
【補正の内容】
【００５０】
この構成によれば、正常状態では、情報取得装置が取得した機器情報が、情報取得装置
からメインサーバとサブサーバとに送信されるため、機器情報はメインサーバとサブサー
バとの双方に蓄積される。そして、例えば、主回線をＶＰＮ（Virtual Private Network
）等を用いて構築することで、第一設備は、機密性が高い状態でメインサーバに機器情報
を蓄積でき、監視端末は、機密性が高い状態で機器情報を取得できる。
また、異常状態では、情報取得装置からサブサーバに機器情報が送信されるため、サブ
サーバには、正常状態における機器情報に加えて異常状態における機器情報が蓄積される
。従って、異常状態において監視端末がサブサーバから機器情報を取得することで、正常
状態における機器情報に加えて異常状態における機器情報も取得できる。このため、異常
状態においても、監視端末によって建物に設置された機器を監視することができる。
また、この構成によれば、第一設備が第一確認処理を実行し、第二設備が第二確認処理を実行することで、第一設備側からと第二設備側からとの双方から主回線による通信経路の通信状態を確認することができる。そして、第一設備側に加えて第二設備側からも通信状態を確認することで、例えば、第一設備では、通信経路の途中にある通信機器に異常が生じていることによって当該通信機器より第二設備側の通信状態が確認できない場合でも、当該通信機器より第二設備側の通信状態を第二設備によって確認できる。従って、第一設備と第二設備とによって通信経路における異常が生じている箇所を特定することが可能となる。
【手続補正１１】
【補正対象書類名】明細書
【補正対象項目名】００５１
【補正方法】削除
【補正の内容】
【手続補正１２】
【補正対象書類名】明細書
【補正対象項目名】００５２
【補正方法】削除
【補正の内容】